(57)【特許請求の範囲】
【請求項１】
遊技機の前面に付設された膳板に着脱可能に取り付けられる固定具と、一端に該固定具
と連結する連結材を備えたアーム部とその他端に昇降体を内装した手置台受けが一体に形
成された支持腕と、該昇降体の上端に前後方向に移動可能に取り付けられるとともに固定具側が手首の傾斜に沿うように下方へ湾曲させて形成された手置台と、からなる遊技機用ハンドスタンドであって、該手置台は、エラストマー製のパッドをウレタン製の中部材の上に重ねたものを、該昇降体の上端部に固設した矩形のフランジを挟んで取り付けられ、該手置台は該フランジに対して前後方向に移動可能で、かつ左右方向に若干移動できる遊びを設けて取り付けられていることを特徴とする遊技機用ハンドスタンド。
【請求項２】
前記支持腕のアーム部の一端側近傍に膳板との距離を変える調整材を設け、手置台の前
後方向の傾斜角度を調整可能としたことを特徴とする請求項１記載の遊技機用ハンドスタ
ンド。
【請求項３】
遊技機の前面に付設された膳板に着脱可能に取り付けられる固定具と、一端に該固定具
と連結する連結材を備えたアーム部とその他端に昇降体を内装した手置台受けが一体に形
成された支持腕と、該昇降体の上端に前後方向に移動可能に取り付けられるとともに固定具側が手首の傾斜に沿うように下方へ湾曲させて形成された手置台と、からなる遊技機用ハンドスタンドであって、前記手置台受は、筒状に形成され、内面に斜め上方に開口する上下複数段の係止部を有するピンガイドを備え、該手置台受に上下移動可能に嵌挿された前記昇降体の下部には該ピンガイドに係合する係止ピンを支持する横溝が形成され、前記昇降体内に該係止ピンに一端を取り付けるとともに他端を昇降体に固定した弾性部材を設けたことを特徴とする遊技機用ハンドスタンド。
【請求項４】
遊技機の前面に付設された膳板に着脱可能に取り付けられる固定具と、一端に該固定具
と連結する連結材を備えたアーム部とその他端に昇降体を内装した手置台受けが一体に形
成された支持腕と、該昇降体の上端に前後方向に移動可能に取り付けられるとともに固定具側が手首の傾斜に沿うように下方へ湾曲させて形成された手置台と、からなる遊技機用ハンドスタンドであって、前記固定具は、２〜４個の取付ネジで膳板に取り付けられる敷板と、該敷台の上で水平方向に３０〜６０度回動可能で前記支持腕の一端が上下方向に回動可能に取り付けられる回動支材とからなり、該回動支材は円弧状の弧溝が２〜４個同一円周上に形成され、該取付ネジは該弧溝を介して固設し、該支持腕の一端に形成されたＵ字状の連結材が外嵌される水平な取付軸を中央上部に備えたことを特徴とする遊技機用ハンドスタンド。
【発明の詳細な説明】
【技術分野】
【０００１】
本発明は遊技機の膳板に取り付けられるハンドスタンドに関するものである。
【背景技術】
【０００２】
パチンコ機においては、右手でハンドルを握り続け、リストからアームは浮いた状態でプレイするので、長時間に渡る場合は腕が疲れるという問題がある。このため、プレイ中に腕を載せておける肘掛装置が開発されており、中にはプレイする人の体格に合わせて肘置部の位置を調整できるもの（例えば、特許文献１参照）もある。なお、出願人は先に遊技場用の椅子に設ける肘掛装置を開発している（特許文献２）。
【０００３】
特許文献１の遊技機用肘掛装置は、図８に示すように、遊技機の前面の膳板２に肘掛取付部４１を設け、これに上下回動可能に取り付けられるアーム部４２と、上下方向に移動可能な支持部４４に前後方向へ移動可能に肘置部４５を設けた肘掛部４３とからなる。また、アーム部４２は、端部に固定部４６を設け、アーム本体に回動軸部４７により連結し、アーム部４２を水平方向に回動できるようにしている。
【先行技術文献】
【特許文献】
【０００４】
【特許文献１】特許第５２７７３３１号公報
【特許文献２】実用新案登録３１６４９６５号公報
【発明の概要】
【発明が解決しようとする課題】
【０００５】
特許文献１の遊技機用肘掛装置は、肘置部４５の位置をプレイする人が自在に適宜の位置へ調節することができることから、プレイする人の体格がかなり異なっても使用でき、腕の疲労をある程度軽減させることができる。
しかしながら、特許文献１の肘置部４５（他の肘掛装置でも同じであるが）は、肘ないしアームの部分を載せるようにしたものであり、硬質の合成樹脂を使用しており、しかも、手からリストの部分は浮いたままであるので、長時間プレイすると、疲労することが避けられない。また、肘置部４５の高さの調整は、内面に斜め上方に開口する上下複数段の係止溝４４ａに手動で係止部材を係止させているが、これが、かなり厄介である。
すなわち、肘置部４５の高さを変える場合は、肘置部４５を持って、支持部４４を前後に傾動させて係止溝から係止部材を外し、所望の高さの係止溝へ移動させて係止部材を係止溝へ係止させるのであるが、外部からは係止溝は見えないので、係止部材の係止溝への脱着は簡単ではなく、かなり手間取るという難点がある。
【０００６】
そこで、本発明は、遊技機のハンドルを握る手にできるだけ近い部分を保持する手置台を備えたハンドスタンドを提供すること、また、手置台の高さや位置の調整が簡便に行えるハンドスタンドを提供することを目的としている。
【課題を解決するための手段】
【０００７】
上記目的を達成するため、請求項１の発明の遊技機用ハンドスタンドは、次のように構成した。すなわち、遊技機の前面に付設された膳板に着脱可能に取り付けられる固定具と、一端に該固定具と連結する連結材を備えたアーム部とその他端に昇降体を内装した手置台受けが一体に形成された支持腕と、該昇降体の上端に前後方向に移動可能に取り付けられるとともに固定具側が手首の傾斜に沿うように下方へ湾曲させて形成された手置台と、からなる遊技機用ハンドスタンドであって、該手置台は、エラストマー製のパッドをウレタン製の中部材の上に重ねたものを、該昇降体の上端部に固設した矩形のフランジを挟んで取り付けられ、該手置台は該フランジに対して前後方向に移動可能で、かつ左右方向に若干移動できる遊びを設けて取り付けられていることを特徴としている。
【０００８】
このハンドスタンドは、従来の肘掛装置のように、手から離れた肘付近を支持するので
はなく、遊技機のハンドルを握る手にできるだけ近い部分を支持されるように、手置台の固定具側が手首の傾斜に沿うように下方へ湾曲させて形成されている。しかも、手置台は、エラストマー製のパッドをウレタン製の中部材に重ねて該昇降体の上端部に固設した矩形のフランジを挟んで取り付けられている。さらに、手置台はフランジに対して前後方向に移動可能で、かつ左右方向に若干移動できる遊びを設けて取り付けられている。
【０００９】
この手置台は、手首付近を弾力性の富んだもので柔らかく保持するようにしたが、それでも、長時間同じ姿勢を続けるのは、苦痛である場合が少なくない。この手置台は手置台を左右方向にも遊びのある状態で取り付け、多少斜めにしたりして、時々、姿勢を変えれる。
また、手置き台の前後方向の傾斜を変えることができるようにして支持面積を大きくす
るのもよい。この手段は、種々考えられるが、請求項２に記載のように、支持腕の一端側近傍に膳板との距離を例えばネジで変える調整材を設けるとよい。
【００１０】
請求項３の発明は、遊技機の前面に付設された膳板に着脱可能に取り付けられる固定具と、一端に該固定具と連結する連結材を備えたアーム部とその他端に昇降体を内装した手置台受けが一体に形成された支持腕と、該昇降体の上端に前後方向に移動可能に取り付けられるとともに固定具側が手首の傾斜に沿うように下方へ湾曲させて形成された手置台と、からなる遊技機用ハンドスタンドであって、前記手置台受は、筒状に形成され、内面に斜め上方に開口する上下複数段の係止部を有するピンガイドを備え、該手置台受に上下移動可能に嵌挿された前記昇降体の下部には該ピンガイドに係合する係止ピンを支持する横溝が形成され、前記昇降体内に該係止ピンに一端を取り付けるとともに他端を昇降体に固定した弾性部材を設けたことを特徴としている。
【００１１】
請求項４の発明は、遊技機の前面に付設された膳板に着脱可能に取り付けられる固定具と、一端に該固定具と連結する連結材を備えたアーム部とその他端に昇降体を内装した手置台受けが一体に形成された支持腕と、該昇降体の上端に前後方向に移動可能に取り付けられるとともに固定具側が手首の傾斜に沿うように下方へ湾曲させて形成された手置台と、からなる遊技機用ハンドスタンドであって、前記固定具は、２〜４個の取付ネジで膳板に取り付けられる敷板と、該敷台の上で水平方向に３０〜６０度回動可能で前記支持腕の一端が上下方向に回動可能に取り付けられる回動支材とからなり、該回動支材は円弧状の弧溝が２〜４個同一円周上に形成され、該取付ネジは該弧溝を介して固設し、該支持腕の一端に形成されたＵ字状の連結材が外嵌される水平な取付軸を中央上部に備えたことを特徴としている。
【発明の効果】
【００１２】
請求項１の発明の遊技機用ハンドスタンドは、手置台をエラストマー製とし固定具側が手首の傾斜に沿うように下方へ湾曲させて形成したので、プレイしている人のハンドルを握る手の近傍を優しく保持され、支持面積が大きく、手首の移動もでき、長時間プレイしても疲れ難くなった。
【００１３】
請求項３の発明は、支持腕の手置台受を筒状に形成し、内面に斜め上方に開口する上下複数段の係止部を有するピンガイドを設け、手置台受に上下移動可能に嵌挿された昇降体の下部にはピンガイドに係合する係止ピンを支持する横溝が形成され、前記昇降体内に該係止ピンに一端を取り付けるとともに他端を昇降体に固定した弾性部材を設けたので、手置台を手動で上昇させれば、係止ピンが自動的に上の係止部に係止され、簡便に高さ調整ができる。
また、請求項４の発明は、固定具を、２〜４個の取付ネジで膳板に取り付けられる敷板と、該敷台の上で水平方向に３０〜６０度回動可能で前記支持腕の一端が上下方向に回動可能に取り付けられる回動支材とから構成し、該回動支材は円弧状の弧溝が２〜４個同一円周上に形成され、該取付ネジは該弧溝を介して固設し、該支持腕の一端に形成されたＵ字状の連結材が外嵌される水平な取付軸を中央上部に備えたので、膳板との脱着が容易で、支持腕を上下方向に回動可能であるとともに水平方向にも３０〜６０度回動可能である。
【図面の簡単な説明】
【００１４】
【図１】本発明の遊技機用ハンドスタンドの実施の形態を示す斜視図である。
【図２】同、ハンドスタンドの側面一部断面図である。
【図３】同、一部断面平面図である。
【図４】同、手置台の分解斜視図である。
【図５】同、支持腕の分解斜視図である。
【図６】同、固定具の分解斜視図である。
【図７】同、使用状態を示す側面図である。
【図８】従来の遊技機用肘掛装置の全体を示す側面断面図である。
【発明を実施するための形態】
【００１５】
本発明の遊技機用ハンドスタンドの実施の形態を図面に基づいて説明する。
図１は、ハンドスタンドの全体を示す斜視図であり、図２は側面一部断面図、図３は一部断面平面図である。また、図４〜図６はハンドスタンドの固定具１０、支持腕２０、手置き台３０の分解斜視図である。そして、図７は使用状態を示す側面図である。
【００１６】
この遊技機用ハンドスタンドは、遊技機の前面に付設された膳板２に着脱可能に取り付けられる固定具１０と、一端が該固定具１０に連結されるアーム２２とその他端に昇降体２５を内装した手置台受２１が一体に形成された支持腕２０と、該昇降体２５の上端に前後方向に移動可能に取り付けられた手置台３０とから構成されている。
【００１７】
固定具１０は、膳板２に取付ネジ１４で取り付けられる敷板１１と、敷板１１に回動可能に取り付けられた回動支材１２と、上面を隠すカバー１３と、から構成されている。取付ネジ１４は、ここでは３個としており、敷板１１には３個の取付座１１ａが固設されている。
そして、回動支材１２には、該取付座１１ａが嵌合する円弧状の弧溝１２ａが同一円周上に３個設けられ（図３参照）、中央上部には、支持腕２０のアーム２２の一端に設けられた連結材２２ａが外嵌する取付軸１２ｂが固設されている。この取付軸１２ｂは支持腕２０を所定の角度（ここでは、膳板から８０度としている）に傾斜させたときに嵌合できるように設計されている。
支持腕２０を回動支材１２へ取り付けた時は上下方向に回動可能であるとともに、弧溝１２ａの範囲（３０〜６０度）において水平方向に回動可能である。
【００１８】
支持腕２０は、一端に固定具１０へ連結するための連結材２２ａを備えたアーム部２２と、その他端に昇降体２５を内装した手置台受２１が一体に形成されている。連結材２２ａは、Ｕ字状に形成され、回動支材１２の取付軸１２ｂに回動可能に取り付けられる。
また、アーム部２２の裏面一端側には、アーム部２２の傾斜（アーム部２２の膳板２との距離）を調整するための調整材２４が設けられている。ここでは、調整材２４が嵌合する深さの異なる嵌合穴２２ｂを複数個（ここでは、２個）設け、傾斜を調整するときは、調整材２４を適宜の嵌合穴２２ｂへ嵌合して調整している。
【００１９】
手置台受２１は、中は空洞で、上面に開口部２１ｂが形成され、片側横面（図５で手前側）が開放されている。そして、内面には斜め上方に開口する上下複数段（ここでは、５段としている）の係止部を有するピンガイド２１ａが設けられている。また、横面の開口部を閉鎖する横蓋２３の内側内面にもピンガイド２１ａを備えている。
このピンガイド２１ａは、図２に示すように、左側（遊技者側）に斜め上方に開口する５段の係止部と、係止部の最上段から最上端へ斜め右上方へ向かい、最上端からほぼ垂直に下がり、所定の高さから最下段の係止部へ斜めに誘導するガイドとからなり、ループ状に形成されている。
【００２０】
手置台受２１に挿嵌される昇降体２５は、中は空洞で上端には矩形状のフランジ２５ａが固設されており、その四隅にはローラー２５ｂが設けられている。なお、ローラー２５ｂは回転できる構造にしてもよいが、ここでは、回転する構造とはしていない。
そして、昇降体２５の壁の下方には横溝２５ｃが設けられている。また、昇降体２５の内部には弾性部材２８（ここでは、Ｕ字状の合成樹脂製のバネを使用している）が設けられ、その一端は該横溝２５ｃに嵌挿された係止ピン２６に取り付けられ、他端は横溝２５ｃより下方に設けたピン穴２５ｄに嵌挿されたピン２７に取り付けられている。    
【００２１】
手置台受２１は、このように構成されており、係止ピン２６は、通常、ピンガイド２１ａの係止部のいずれかの段に係止し、弾性部材２８のバネ力によって横溝２５ｃの左端に位置している。この状態で手置台３０は押しても下がらないが、手置台３０を持ち上げると、係止部のある段に係止している係止ピン２６は、係止部の曲線に沿って上がり、横溝２５ｃ内を右方へ移動する。そして、係止部の一つ上の段あたりに来たとき手置台３０から手を離すと、弾性部材２８のバネ力によって、係止ピン２６が左端へ移動し係止部に係止する。
ここでは、係止部が一段上がると１０ｍｍ手置台３０が上昇するようにしており、最大５０ｍｍ上げることができるようにしている。なお、係止ピン２６は、係止部を上に移動する場合は、横溝２５ｃの左端からほぼ中程まで移動する。
係止ピン２６が係止部の最上段にある場合に、手置台３０を持ち上げると係止ピン２６はピンガイド２１ａの最上端まで移動するが、このとき係止ピン２６は横溝２５ｃの右端まで移動し、固定ピン２７に対してほぼ垂直方向に位置し、弾性部材２８の左方側へ付勢するバネ力はほとんどなくなる。
そして、手置台３０を下降させると係止ピン２６はほぼ垂直に下降し、最下段の係止部へ案内される。
【００２２】
手置台３０は、図４に示すように、パッド３１，中部材３２，インナー３３，ベース３４からなり、ベース３４は、中央部に昇降体２５のフランジ２５ａより小さい開口部３４ａが形成され、その周りにはフランジ２５ａのローラー２５ｂが係合するガイド３４ｂが設けられている。
手置台３０は、パッド３１と中部材３２を重ねてインナー３３に取り付け、昇降体２５の下側を開口部３４ａに挿通させて、フランジ２５ａを挟んでベース３４に取り付けている。
パッド３１はエラストマー製とし、中部材３２はウレタン、インナー３３及びベース３４は硬質プラスチックとしている。そして、手置台３０の前端（固定具１０側）部は手首の傾斜に沿うように下方へ湾曲させて形成されている。
手置台３０は、ここでは、支持腕２０に対し前後方向に５０ｍｍ移動可能であり、フランジ２５ａに付設したローラー２５ｂによりスムーズに移動できる。また、左右方向に遊びを付けてあり、若干回動も可能である。
【００２３】
次に、このように構成された遊技機用ハンドスタンドの作用について説明する。
このハンドスタンドは、通常、遊技機の交換など特別な場合以外は、遊技機の膳板２に固設されたままとなっている。しかも、手置台３０の左右方向の角度、前後方向の距離、高さ、および支持腕２０の上下方向の傾斜は、前にプレイしていた人が使用した状態のままである。
遊技者が、プレイするときは、まず、手置台３０に右腕を置いて、遊技機のハンドル２を握ってみて、リストから小指球（リストに近い小指側の膨らみ）が手置台３０の前端の湾曲部に載るように置く（図７参照）。手置台３０は左右方向および前後方向は自由に移動させることができるので、適宜の位置に移動させればよい。
【００２４】
手置台３０の位置を高くしたい場合は、昇降体２５のフランジ２５ａに取り付けられた手置台３０を手で持ち上げ、一段上の係止部に係止ピン２６を係止させ、使用してみる。さらに、高くしたい場合は、さらに、手置台３０を手で持ち上げ、もう一段上の係止部に係止ピン２６を係止させる。
【００２５】
一方、手置台３０の高さを低くしたい場合は、手置台３０を一旦最上段の係止部まで移動させ、さらに、ピンガイド２１ａの最上端まで移動させ、続いて手置台３０を下降させて最下段の係止部へ位置させてから、適宜の位置へ上昇させる。以上の操作で手置台３０を遊技者にとって最適な高さに調整することができる。
なお、手置台３０は、遊技者に向かってほぼ平坦になるように構成しているが、遊技者によっては、手置台３０の前後方向の傾斜を変えたい場合があると思われる。この場合は、支持腕２０のアーム部２２の裏面の嵌合穴２２ｂに嵌合している調整材２４を嵌合穴２２ｂの浅い方に嵌合させる。
【符号の説明】
【００２６】
１  ハンドル
２  膳板
１０  固定具
１１  敷板
１１ａ  取付座
１２  回動支材
１２ａ  弧溝
１２ｂ  取付軸
１３  カバー
１４  取付ネジ
２０  支持腕
２１  手置台受
２１ａ  ピンガイド
２１ｂ  開口部
２２  アーム部
２２ａ  連結材
２２ｂ  嵌合穴
２３  横蓋
２４  調整材
２５  昇降体
２５ａ  フランジ
２５ｂ  ローラー
２５ｃ  横溝
２５ｄ  ピン穴
２６  係止ピン
２７  固定ピン
２８  弾性部材
３０  手置台
３１  パッド
３２  中部材
３３  インナー
３４  ベース
３４ａ  開口部
３４ｂ  ガイド
【図１】
0006514530.tif 000002
【図２】
0006514530.tif 000003
【図３】
0006514530.tif 000004
【図４】
0006514530.tif 000005
【図５】
0006514530.tif 000006
【図６】
0006514530.tif 000007
【図７】
0006514530.tif 000008
【図８】
0006514530.tif 000009